(57)【特許請求の範囲】
【請求項１】
駆動部と選択的に連結可能なチューブが備えられるメイン胴体と、
前記メイン胴体の一側に組み立てられ、内部には、前記チューブと連結可能な内部流路が形成され、前記内部流路の一端には、少なくとも一つ以上のノズルが開口して形成される洗浄胴体とを含み、
前記メイン胴体と前記洗浄胴体が組み立てられると、前記チューブの一端が前記内部流路の一端に連結され、連続した流路を形成し、
前記洗浄胴体にフランジが結合され、前記フランジの下部には、チューブガイドが備えられ、前記チューブガイドは、
前記メイン胴体の内面に支持されて固定されるガイドプレートと、
前記ガイドプレートの底面に突出し、前記チューブの一端と結合されるチューブ結合部と、
前記ガイドプレートの上面に突出し、前記フランジの内部に位置され、前記フランジに前記洗浄胴体が結合されると、前記洗浄胴体に少なくとも一部が挿入される流路挿入部とを含んで構成されることを特徴とする、内部流路が形成された歯洗浄器具。
【請求項２】
前記洗浄胴体と前記メイン胴体には、互いに対応する結合突起と結合チャネルが形成され、前記洗浄胴体が前記メイン胴体に結合される過程で前記結合突起が前記結合チャネルに沿って案内された後、前記結合チャネルの一側に係止して固定されることを特徴とする、請求項１に記載の内部流路が形成された歯洗浄器具。
【請求項３】
前記結合チャネルは、前記フランジの内面に凹入して形成されることを特徴とする、請求項２に記載の内部流路が形成された歯洗浄器具。
【請求項４】
前記結合チャネルは、一端が外側に開口した導入部と、前記導入部から前記メイン胴体と洗浄胴体の結合方向に延びる連結部と、前記連結部から直交または傾斜した方向に延びる回転部とを含み、前記回転部の一端には、係止ジョーが突出して形成されることを特徴とする、請求項３に記載の内部流路が形成された歯洗浄器具。
【請求項５】
前記チューブは、前記メイン胴体から分離可能に前記メイン胴体に備えられ、前記内部流路は、前記洗浄胴体に一体に形成されることを特徴とする、請求項１に記載の内部流路が形成された歯洗浄器具。
【請求項６】
前記洗浄胴体が前記フランジに結合されると、前記洗浄胴体の内部流路の一端と前記チューブの一端が互いに連結されることを特徴とする、請求項３に記載の内部流路が形成された歯洗浄器具。
【請求項７】
前記流路挿入部の外面には、防水室が備えられることを特徴とする、請求項１に記載の内部流路が形成された歯洗浄器具。
【請求項８】
前記チューブ結合部は、突出した一端へ行くほど幅が狭くなるように形成され、前記チューブ結合部の外面には、少なくとも一つの結合リブが突出して形成されることを特徴とする、請求項１に記載の内部流路が形成された歯洗浄器具。
【請求項９】
前記メイン胴体には、光を照射する発光部が備えられ、前記チューブガイドには、回避部が凹入または開口するように形成され、前記発光部から照射される光を通過させるか、または前記発光部が安着されるようにする、請求項１に記載の内部流路が形成された歯洗浄器具。
【請求項１０】
前記洗浄胴体は、
内部に内部流路が形成された連結バーと、
前記連結バーの一端に備えられ、外面には少なくとも一つ以上のノズルが形成される洗浄ヘッドと、
前記連結バーの他端に突出し、外面には結合突起が備えられた結合ボスとを含んで構成される、請求項１に記載の内部流路が形成された歯洗浄器具。
【請求項１１】
前記ノズルは、前記洗浄ヘッドの外周面、洗浄ヘッドの上面または底面の少なくともいずれか一側に多数個が形成されることを特徴とする、請求項１０に記載の内部流路が形成された歯洗浄器具。
【請求項１２】
前記ノズルは、前記洗浄ヘッドの外周面に向かって放射状に形成されることを特徴とする、請求項１０に記載の内部流路が形成された歯洗浄器具。
【請求項１３】
前記洗浄ヘッドには、ブラシが分離可能に結合されることを特徴とする、請求項１０に記載の内部流路が形成された歯洗浄器具。
【請求項１４】
前記駆動部は、前記チューブに洗浄液を供給するか、または前記チューブに負圧を提供し、前記ノズルから液体を吸入することを特徴とする、請求項１に記載の内部流路が形成された歯洗浄器具。
【発明の詳細な説明】
【技術分野】
【０００１】
本発明は、歯洗浄器具に関し、さらに詳細には、内部に形成された流路を通して洗浄液を供給するか、または口腔の流体を外部に排出できる歯洗浄器具に関する。
【背景技術】
【０００２】
歯洗浄のための最も一般的な器具は歯ブラシであり、このような歯ブラシ（Ｔｏｏｔｈｂｒｕｓｈ）は、歯の健康管理と衛生清潔のために歯磨き粉をつけて歯磨きをするために使われる道具である。歯ブラシは、スティック形態の把持部と、把持部の先端に形成された胴体に細い毛部材がぎっしり植毛されるブラシとを含む。
【０００３】
そして、歯洗浄時には、歯ブラシのブラシを歯に当ててブラッシングしながら口腔内の含嗽水を除去する行動を繰り返すこととなり、ブラッシングを終えると、洗浄水で口腔内を洗浄し、含嗽水を吐き出すようになる。
【０００４】
従来の伝統的な構造の歯ブラシ以外にも、近年は、洗浄液を供給する歯洗浄器具が開発されて使われている。このような歯洗浄器具は、口腔内部に水のような洗浄液を強い圧力で供給し、歯または歯間の洗浄がなされるようにするが、このような方式の歯洗浄器具は、洗浄液が噴射されるノズルの取り替えが不可能であったり、分解時に防水性能に問題が発生したりする場合が多い。
【０００５】
従って、歯洗浄器具のノズル及び一部の部品だけを取り替えることが可能で、歯洗浄器具の内部を維持補修する作業が便利であり、防水性能に優れた歯洗浄器具が必要な実情である。
【発明の概要】
【発明が解決しようとする課題】
【０００６】
本発明は、上述したような従来の技術の問題点を解決するためのものであって、本発明の目的は、歯洗浄器具からノズル側の部品を容易に組み立て及び分解できるようにすると同時に、組み立て後、防水性能が維持され得るようにすることである。
【課題を解決するための手段】
【０００７】
上述したような目的を達成するための本発明の特徴によると、本発明は、駆動部と選択的に連結可能なチューブが内部に備えられるメイン胴体と、前記メイン胴体の一側に組み立てられ、内部には、前記チューブと連結可能な内部流路が形成され、前記内部流路の一端には、少なくとも一つ以上のノズルが開口して形成される洗浄胴体を含み、前記メイン胴体と前記洗浄胴体が組み立てられると、前記チューブの一端が前記内部流路の一端に連結され、連続した流路を形成する。
【０００８】
そして、前記洗浄胴体と前記メイン胴体には、互いに対応する結合突起と結合チャネルが形成され、前記洗浄胴体が前記メイン胴体に結合される過程で前記結合突起が前記結合チャネルに沿って案内された後、前記結合チャネルの一側に係止して固定される。
【０００９】
前記メイン胴体には、フランジが分離可能に結合され、前記結合チャネルは、前記フランジの内面に凹入して形成され、前記結合チャネルは、一端が外側に開口した導入部と、前記導入部から前記メイン胴体と洗浄胴体の結合方向に延びる連結部と、前記連結部から直交または傾斜した方向に延びる回転部とを含み、前記回転部の一端には、係止ジョーが突出して形成され得る。
【００１０】
そして、前記チューブは、前記メイン胴体から分離可能に前記メイン胴体に備えられ、前記内部流路は、前記洗浄胴体に一体に形成される。
【００１１】
前記フランジの内側には、前記メイン胴体の内部に備えられたチューブの一端が位置され、前記洗浄胴体が前記フランジに結合されると、前記洗浄胴体の内部流路の一端と前記チューブの一端が互いに連結される。
【００１２】
一方、前記フランジの下部には、チューブガイドが備えられ、前記チューブガイドは、前記メイン胴体の内面に支持されて固定されるガイドプレートと、前記ガイドプレートの底面に突出し、前記チューブの一端と結合されるチューブ結合部と、前記ガイドプレートの上面に突出し、前記フランジの内部に位置され、前記フランジに前記洗浄胴体が結合されると、前記洗浄胴体の内部流路に少なくとも一部が挿入される流路挿入部とを含んで構成される。
【００１３】
前記流路挿入部の外面には、防水室が備えられる。
【００１４】
そして、前記チューブ結合部は、突出した一端へ行くほど幅が狭くなるように形成され、前記チューブ結合部の外面には、少なくとも一つの結合リブが突出して形成され得る。
【００１５】
また、前記メイン胴体には、光を照射する発光部が備えられ、前記チューブガイドには、回避部が凹入または開口するように形成され、前記発光部から照射される光を通過させるか、または前記発光部が安着されるようにする。
【００１６】
ここで、前記洗浄胴体は、内部に内部流路が形成された連結バーと、前記連結バーの一端に備えられ、外面には少なくとも一つ以上のノズルが形成される洗浄ヘッドと、前記連結バーの他端に突出し、外面には前記結合突起が備えられた結合ボスとを含んで構成される。
【００１７】
前記洗浄ヘッドは、円柱状に形成され、前記ノズルは、前記洗浄ヘッドの外周面または洗浄ヘッドの上面及び底面の少なくともいずれか一側に多数個が形成され、前記ノズルは、前記洗浄ヘッドの外周面に向かって放射状に形成され得る。
【００１８】
また、前記洗浄ヘッドには、ブラシが分離可能に結合される。
【００１９】
前記チューブは、前記メイン胴体から分離可能に前記メイン胴体の内部に備えられ、前記駆動部は、前記チューブに洗浄液を供給するか、または前記チューブに負圧を提供し、前記ノズルから液体を吸入する。
【発明の効果】
【００２０】
先に検討したような本発明による内部流路が形成された歯洗浄器具では、下記のような効果が期待できる。
【００２１】
本発明においては、歯洗浄器具を構成するメイン胴体と洗浄胴体の組み立て及び分解が可能であり、分解を通してチューブ及び内部流路等の一部の部品の修理や取り替えまたは洗浄が可能であるので、歯洗浄器具の維持補修性が良くなる効果がある。
【００２２】
そして、本発明においては、回転動作を通してメイン胴体と洗浄胴体が互いに容易に組み立て及び分解が可能であり、このような組み立て過程でチューブガイドを通してチューブの一端と洗浄胴体の内部流路が自然に連結されるので、組み立て性が向上し、また、別途の作業なしにもメイン胴体と洗浄胴体の組み立て過程でチューブガイドの防水室が内部流路に圧着されて防水機能が具現されるので、動作信頼性が向上し得る。
【００２３】
また、本発明においては、ブラシが洗浄ヘッドに選択的に結合されるので、ブラシを除去し、歯洗浄器具を単に洗浄液の供給または排出用途に使用するか、またはブラシを結合して一般の歯ブラシのように使用することもでき、歯洗浄器具の活用度が大きくなる効果もある。
【図面の簡単な説明】
【００２４】
【図１】本発明による内部流路が形成された歯洗浄器具の一実施例の構成を示す斜視図。
【図２】本発明実施例を構成する洗浄胴体、フランジ及びチューブガイドの構成を示す分解斜視図。
【図３】本発明実施例を構成する洗浄胴体及びフランジの結合構造を示す斜視図。
【図４】図３の構造を他の角度で示す斜視図。
【図５】本発明実施例を構成する洗浄胴体、フランジ及びチューブガイドの構成を示す断面図。
【図６】本発明実施例を構成する洗浄ヘッドの構成を示す斜視図。
【図７】本発明実施例を構成する洗浄胴体とフランジが結合される過程で結合突起が移動する過程を順次に示す動作状態図。
【図８】本発明実施例を構成する洗浄胴体とフランジが結合される過程で結合突起が移動する過程を順次に示す動作状態図。
【図９】本発明実施例を構成する洗浄胴体とフランジが結合される過程で結合突起が移動する過程を順次に示す動作状態図。
【発明を実施するための形態】
【００２５】
以下、本発明の一部の実施例を例示的な図面を通して詳細に説明する。各図面の構成要素に参照符号を付するにあたって、同じ構成要素に対しては、他の図面上に表示されても、できる限り同じ符号を有するようにしていることに留意すべきである。また、本発明の実施例を説明するにあたって、関連の公知構成または機能についての具体的な説明が本発明の実施例に対する理解を妨害すると判断される場合は、その詳細な説明は省略する。
【００２６】
また、本発明の実施例の構成要素を説明するにあたって、第１、第２、Ａ、Ｂ、（ａ）、（ｂ）等の用語を用いることができる。このような用語は、その構成要素を他の構成要素と区別するためのものであるだけで、その用語により該当構成要素の本質や手順または順序等は限定されない。ある構成要素が他の構成要素に「連結」、「結合」または「接続」されると記載された場合、その構成要素は、その他の構成要素に直接的に連結または接続され得るが、各構成要素の間にまた他の構成要素が「連結」、「結合」または「接続」されることもあると理解されるべきである。
【００２７】
図１には、本発明による内部流路が形成された歯洗浄器具の一実施例の構成が斜視図で示されている。
【００２８】
それから見られるように、本発明による内部流路５８が形成された歯洗浄器具（以下、「歯洗浄器具」という）は、大きくメイン胴体１０と洗浄胴体５０とで構成される。前記メイン胴体１０は、歯洗浄器具の下部骨格及び外形を形成するものであって、使用者が歯洗浄器具を使用するとき、実質的に把持する一種の把持部分に該当し、洗浄胴体５０は、歯の洗浄がなされる部分である。
【００２９】
そして、下記においてまた説明するように、歯洗浄器具には、駆動部１００が連結されるが、駆動部１００は、チューブＴ１を通して洗浄液を供給するか、または口腔内の流体を吸入するための外力を発生させる部分である。参考までに、本実施例において、前記駆動部１００は、歯洗浄器具の外部に備えられた外部本体で構成されるが、前記駆動部１００は、歯洗浄器具と一体に構成されてもよい。例えば、前記駆動部１００は、メイン胴体１０の内部に組み込まれるか、またはメイン胴体１０に結合された部品であってもよい。
【００３０】
以下においては、これらの構造について順次に検討する。先ず、メイン胴体１０は、内部が空いている一種の長いバー（ｂａｒ）形状であって、使用者が把持する部分である。本実施例においては、図１から見られるように、前記メイン胴体１０の外面１２が曲面形状に形成されるが、多角形状に形成されるか、または把持する部分を表示できるように凹入された形状等、様々な外形が可能である。
【００３１】
前記メイン胴体１０の内部には、内部空間が形成される。前記内部空間は、前記メイン胴体１０の長手方向に沿って長く延びて形成されるものであり、前記内部空間には、下記において説明されるチューブＴ１とチューブガイド４０が挿入される。
【００３２】
図５から見られるように、前記メイン胴体１０の一側には、第１締結突部１５が形成される。前記第１締結突部１５は、下記において説明されるフランジ３０の第２締結凹溝３９ａに対応するものであり、フランジ３０の第２締結凹溝３９ａに第１締結突部１５が挿入され、メイン胴体１０とフランジ３０との間の結合がなされる。もちろん、前記メイン胴体１０に締結溝が形成され、フランジ３０に締結突部が備えられてもよい。
【００３３】
参考までに、前記メイン胴体１０は、２つの部品で構成され、２つの部品がフランジ３０を挟んで結合されることにより、フランジ３０がメイン胴体１０と結合されるように構成されてもよい。
【００３４】
前記メイン胴体１０には、チューブＴ１が挿入される。前記チューブＴ１は、前記メイン胴体１０の長手方向に沿って延びるものであり、その一端は、下記において説明される洗浄胴体５０の内部流路５８と連結され、他端は、駆動部１００と連結される。これによって、前記チューブＴ１は、前記駆動部１００の吸入力による負圧を洗浄胴体５０に伝達するか、または、逆に駆動部１００の吐出力による洗浄液の排出を洗浄胴体５０に伝達することができる。
【００３５】
前記チューブＴ１の一端は、下記において説明されるチューブガイド４０のチューブ結合部４５と結合されるが、本実施例においては、図５から見られるように、前記チューブＴ１の一端が、幅が広くなる方向に弾性変形してチューブ結合部４５に圧入される方式で結合がなされる。そして、チューブＴ１の他端は、駆動部１００と分離可能に連結される。
【００３６】
このように、本実施例において、前記チューブＴ１は、その両端がそれぞれチューブガイド４０及び駆動部１００と分離可能に結合されるので、使用者は、チューブＴ１を分離して取り替えるか、または、洗浄後、再組立てする等の維持補修を容易に実施することができる。もちろん、前記チューブＴ１は、前記メイン胴体１０の内部に一体に形成されるか、または少なくとも一部がメイン胴体１０に一体に形成され、残りの一部は、それに連結される方式で構成されてもよい。参考までに、図面上において、前記チューブを、駆動部１００に連結されたチューブＴと、メイン胴体１０の内部に備えられたチューブＴ１とに区分したが、これらは、一つのチューブが延びて構成されたものであってよい。
【００３７】
図示されてはいないが、前記メイン胴体１０の外面には、操作部が備えられてもよい。前記操作部は、駆動部１００を作動するための一種のスイッチであってよく、後述する発光部も、前記操作部により操作され得る。
【００３８】
前記メイン胴体１０の一端には、フランジ３０が結合される。前記フランジ３０は、前記メイン胴体１０の上部に結合され、前記メイン胴体１０と洗浄胴体５０との間を連結させる役割をする。より正確には、洗浄胴体５０が前記フランジ３０に結合されることにより、前記洗浄胴体５０とメイン胴体１０とが互いに連結される。
【００３９】
図２から見られるように、本実施例において、前記フランジ３０の外観及び骨格は、略リング状のフランジ胴体３１で形成されるが、必ずしもこれに限定されるものではなく、前記メイン胴体１０の形状によって様々な形状を有することができる。
【００４０】
前記フランジ３０は、前記メイン胴体１０の上部に分離可能に結合され、前記フランジ３０の内面には、結合チャネル３３が形成される。前記結合チャネル３３は、下記において説明される洗浄胴体５０の結合突起５７に対応するものであり、前記フランジ３０の内面に凹入して前記フランジ３０と洗浄胴体５０の結合過程で結合突起５７の移動を案内する役割をする。
【００４１】
前記結合チャネル３３のより正確な形状は、図３及び図４によく示されている。それから見られるように、前記結合チャネル３３は、前記フランジ３０の内面が所定の深さで凹入し、結合突起５７がそれに沿って移動できるように形成される。より正確には、前記結合チャネル３３は、導入部３４、連結部３５及び回転部３６を含んで構成される。
【００４２】
前記導入部３４は、その一端が外側、即ち、図２を基準に上方に開口した部分であり、前記連結部３５は、前記導入部３４から前記メイン胴体１０と洗浄胴体５０の結合方向に延びる部分である。
【００４３】
そして、前記回転部３６は、前記連結部３５から直交または傾斜した方向に延びる。これは、前記メイン胴体１０と洗浄胴体５０が結合される過程で、前記メイン胴体１０及び洗浄胴体５０が前記メイン胴体１０の長手方向を回転中心として相対回転しながら互いに結合されるようにするためのものである。
【００４４】
このとき、図４によく示されたように、前記回転部３６の一端には、係止ジョー３８が突出して形成される。前記係止ジョー３８は、前記回転部３６の一端から突出し、洗浄胴体５０の結合突起５７が前記係止ジョー３８を乗り越えた後には、任意に反対方向、即ち、分離される方向に移動することを防止する役割をする。前記係止ジョー３８は、係止突起が比較的に容易に越えることができるように曲面形状に形成されることが好ましい。
【００４５】
そして、前記係止ジョー３８を基準に前記回転部３６の他側には、安着部３６’が形成される。前記安着部３６’は、メイン胴体１０と洗浄胴体５０が完全に結合されると、係止ジョー３８を越えた結合突起５７が安着される部分に該当し、前記回転部３６の一部と見ることもできる。
【００４６】
このとき、図４から見られるように、前記導入部３４の開口した入口は、内側に比べて相対的に広い幅を有するように形成される。より正確には、前記導入部３４は、外側に向かうほど開口した幅が大きくなるように形成されるものであるが、これは、結合突起５７が容易に導入部３４の内側に挿入され得るようにするためのものである。
【００４７】
前記フランジ３０の下部には、締結部３７が突出して備えられる。前記締結部３７は、一種のリング状で前記締結部３７の下方から突出し、その外周面には、第２締結突部３９ｂと第２締結凹溝３９ａが形成される。前記第２締結突部３９ｂ及び第２締結凹溝３９ａは、メイン胴体１０の内面に形成された第１締結凹溝（図示しない）及び第１締結突部１５にそれぞれ対応するものであり、これらが互いに結合され、フランジ３０がメイン胴体１０に固定され得る。
【００４８】
一方、前記フランジ３０の下部には、チューブガイド４０が備えられる。前記チューブガイド４０は、前記フランジ３０の下部に該当する前記メイン胴体１０の内部に備えられ、前記チューブＴ１の経路をガイドする役割をする。即ち、前記チューブガイド４０は、前記メイン胴体１０の内部に固定された状態で前記チューブＴ１の一部を支持してチューブＴ１が正確な方向に向かうようにし、下記において説明される洗浄胴体５０の内部流路５８と連結されるようにするものである。
【００４９】
このために、前記チューブガイド４０の内部には、一方向に長く連結流路４８が形成される。
【００５０】
図２及び図５によく示されたように、本実施例において、前記チューブガイド４０は、前記メイン胴体１０の内面に支持されて固定されるガイドプレート４１と、前記ガイドプレート４１の両方向にそれぞれ突出して備えられるチューブ結合部４５と流路挿入部４７とを含む。
【００５１】
前記ガイドプレート４１は、略円板状に形成され、その側面が前記メイン胴体１０の内面に支持されて固定される。図示されてはいないが、前記メイン胴体１０には、光を照射する発光部が備えられ、前記チューブガイド４０には、回避部４９が凹入または開口するように形成され、前記発光部から照射される光を通過させるか、または前記発光部が安着されるようにすることもできる。
【００５２】
ここで、前記発光部は、ＬＥＤのような小型の照明器具で構成され得、前記発光部から照射された光は、内部流路５８及びノズル６５の照度を高めて夜間に使用する場合に使用性を高め、歯洗浄器具の外観を美麗にすることもできる。
【００５３】
前記チューブ結合部４５は、前記ガイドプレート４１の底面から突出して前記チューブＴ１の一端と結合され、前記流路挿入部４７は、前記ガイドプレート４１の上面に突出して前記フランジ３０の内部３２に位置され、前記フランジ３０に洗浄胴体５０が結合されると、洗浄胴体５０の内部流路５８に少なくとも一部が挿入される。
【００５４】
このように、前記チューブガイド４０は、前記チューブＴ１と洗浄胴体５０の内部流路５８との間を連結する連結手段である。特に、図５から見られるように、前記チューブガイド４０の流路挿入部４７は、上部に突出して前記フランジ３０の内側で洗浄胴体５０の内部流路５８と一部が重畳されることで互いに連結される。即ち、洗浄胴体５０が前記フランジ３０に結合される過程で洗浄胴体５０の結合ボス５５が自然に前記流路挿入部４７と重なることで流路が連続的に形成されるのである。
【００５５】
前記流路挿入部４７の外面には、防水室Ｓが備えられる。前記防水室Ｓは、前記流路挿入部４７の外周面に備えられ、前記チューブガイド４０の流路挿入部４７の外面と、下記において説明される洗浄胴体５０の結合ボス５５の内面が互いに結合される過程で両側に圧着されて防水機能を遂行することとなる。未説明符号４７’は、前記防水室Ｓが安着される室安着溝を示す。
【００５６】
一方、図５から見られるように、前記チューブ結合部４５は、突出した一端へ行くほど幅が狭くなるように形成され、また、前記チューブ結合部４５の外面には、少なくとも一つの結合リブが突出して形成されることが好ましい。これは、前記チューブ結合部４５の外面にはチューブＴ１が結合されるので、チューブＴ１との結合力を高めるためのものである。
【００５７】
しかし、本発明は、これに限定されず、チューブ結合部４５の外面に一つの結合リブが突出して形成されてもよい。
【００５８】
参考までに、結合リブは、図面上に正確に表現されてはいないが、凹凸形状を始めとして、前記チューブ結合部４５の外面から突出した形状であればいかなる構造でも可能である。
【００５９】
次に、洗浄胴体５０について説明すれば、前記洗浄胴体５０は、前記メイン胴体１０と分離可能に結合され、実質的に洗浄機能を遂行する部分に該当する。
【００６０】
前記洗浄胴体５０は、前記メイン胴体１０から連続的に延びるように構成されるが、本実施例において、前記洗浄胴体５０は、長いバー（ｂａｒ）形状に形成される。より正確には、前記洗浄胴体５０は、内部に内部流路５８が形成された連結バー５１がその外観及び骨格を形成し、前記洗浄胴体５０の両端には、それぞれ洗浄ヘッド６０と結合ボス５５とが備えられる。
【００６１】
前記結合ボス５５は、前記洗浄胴体５０の下端から突出して形成されたものであり、その外面に結合突起５７が突出して前記フランジ３０の結合チャネル３３に挿入され、洗浄胴体５０とメイン胴体１０との間が結合されるようにする。
【００６２】
図３から見られるように、前記結合突起５７は、前記結合ボス５５の外面から相対的に少なく突出した第１突起部５７ａと、前記第１突起部５７ａと連結され、相対的に一層突出した第２突起部５７ｂとで構成される。前記第１突起部５７ａは、突出した程度が相対的に小さく、先に説明した結合チャネル３３の係止ジョー３８を容易に乗り越えることができ、前記係止突起が前記係止ジョー３８を越えた後には、一層突出した第２突起部５７ｂが前記係止ジョー３８と向かい合って反対方向には容易に移動できなくなる。
【００６３】
図３及び図４から見られるように、前記結合突起５７は、前記結合ボス５５の外面に２つが備えられるが、必ずしもこれに限定されるものではなく、１つまたは３つ以上が備えられてもよい。もちろん、この場合は、前記結合チャネル３３もまた前記フランジ３０に前記結合突起５７に対応する個数と位置に形成されなければならない。
【００６４】
図４から見られるように、前記結合ボス５５の内側空間５６には、内部流路５８の一端が露出し、前記内部流路５８の一端内側には、先に説明したチューブガイド４０の流路挿入部４７の一部が挿入され、互いに連結される。
【００６５】
一方、前記洗浄ヘッド６０は、前記連結バー５１の一端に備えられ、外面には少なくとも一つ以上のノズル６５が形成され、前記チューブ流路Ｔ１’、連結流路４８及び内部流路５８を経て伝達された洗浄液を口腔内部に噴射するか、または口腔内部の水分を吸入し、内部流路５８、連結流路４８及びチューブ流路Ｔ１’を通して外部に排出するようにする。
【００６６】
図２から見られるように、本実施例において、前記洗浄ヘッド６０は、円柱または円板状に形成されるが、使用者の口腔内部に挿入され得る構造であれば、様々な大きさと形状に変形され得る。
【００６７】
前記洗浄ヘッド６０のノズル６５は、前記洗浄ヘッド６０の外周面６１または洗浄ヘッド６０の前面６２及び背面（図面符号を与えない）の少なくともいずれか一側に多数個が形成され得る。参考までに、図２には、洗浄ヘッド６０の外周面６１と、前面６２にそれぞれ多数個のノズル６５が形成された様子が示されている。
【００６８】
図６から見られるように、前記ノズル６５は、前記内部流路５８の一端から連結されて形成され、前記洗浄ヘッド６０の外周面に向かって放射状に形成され得る。前記ノズル６５は、前記内部流路５８から伝達された高圧の洗浄液を効果的に噴射できるように多数個のノズル６５で構成され得るものである。図面符号６３’は、前記ノズル６５と内部流路５８を連結する連結チャネルを示す。もちろん、前記ノズル６５を通して口腔内の水分が外部に排出されることもあることは、先に説明したとおりである。
【００６９】
図１から見られるように、前記洗浄ヘッド６０には、ブラシ７０が備えられてもよい。前記ブラシ７０は、歯磨きのためのものであり、多数個の毛が束になって構成される。前記ブラシ７０は、前記洗浄ヘッド６０に分離可能に結合されるか、または一体に形成されてもよい。前記ブラシ７０は、前記洗浄ヘッド６０にネジ締結方式で結合されるか、または圧入、または組み立て突起（図示しない）により結合がなされてもよい。もちろん、前記ブラシ７０は、前記洗浄ヘッド６０に必ず備えられる必要はなく、省略可能である。
【００７０】
以下においては、本発明による内部流路が形成された歯洗浄器具の組み立て過程と使用過程を詳細に説明する。
【００７１】
図７−９には、本発明実施例を構成する洗浄胴体とフランジが結合される過程で洗浄胴体の結合突起が移動する過程を順次に示した動作状態図が示されている。
【００７２】
洗浄胴体５０は、洗浄ヘッド６０を利用して使用者の口腔を洗浄するようになるが、保管の便宜や部品の取り替え等、様々な理由から前記洗浄ヘッド６０をメイン胴体１０から分離及び組み立てることがある。先ず、洗浄胴体５０とメイン胴体１０が互いに分離された状態であるという仮定下で前記洗浄胴体５０とメイン胴体１０の結合について説明する。
【００７３】
結合のために、前記洗浄胴体５０の結合ボス５５がメイン胴体１０のフランジ３０に向かった状態で前記洗浄胴体５０及びメイン胴体１０が互いに近づく方向に移動される。このとき、前記洗浄胴体５０の結合突起５７は、前記メイン胴体１０の結合チャネル３３に向かった状態であるが、より正確には、前記結合チャネル３３の導入部３４を通して結合突起５７がフランジ３０の内側３２に挿入される。このような状態が図７に示されている。
【００７４】
そして、前記メイン胴体１０及び洗浄胴体５０が互いに近づく方向に移動し続けると、図８から見られるように、前記結合突起５７は、前記導入部３４と連結された連結部３５に沿って下方に移動され、この過程で前記結合ボス５５の内側に備えられた内部流路５８にチューブガイド４０の流路挿入部４７の一部が挿入される。これは、前記流路挿入部４  ７が上方に突出してフランジ３０の内側３２に位置するので、自然になされ得る。
【００７５】
この状態で使用者が前記メイン胴体１０と洗浄胴体５０を前記メイン胴体１０の長手方向を回転軸として相対回転させると、前記結合突起５７は、前記結合チャネル３３の係止ジョー３８を乗り越えるようになる。この過程で、前記結合突起５７は、前記フランジ３０をある程度弾性変形させることもできる。
【００７６】
そして、前記結合突起５７が前記係止ジョー３８を完全に越えると、前記結合突起５７は、安着部３６’に安着され、反対方向に任意に回転することが防止される。このような様子が図９に示されている。
【００７７】
このように、前記メイン胴体１０と洗浄胴体５０が相対回転を通して結合されるので、メイン胴体１０と洗浄胴体５０が互いに分離される方向に外力が作用しても容易に分離されない。また、メイン胴体１０と洗浄胴体５０が相対回転する過程で発生するトルクを通してチューブガイド４０の流路挿入部４７に備えられた防水室Ｓがより容易に圧着され得る。
【００７８】
このようになると、前記フランジ３０の内側３２で前記内部流路５８とチューブガイド４０の流路挿入部４７が互いに連結されるので、一つの連通された流動経路を有するようになる。即ち、前記メイン胴体１０と洗浄胴体５０を回転方式で簡単に組み立てる過程を通して流路の連結が可能であり、同時に流路間のシーリングも共になされ得るのである。
【００７９】
また、前記フランジ３０のチューブ結合部４５にはチューブＴ１が結合されることで、チューブ流路Ｔ１’、連結流路４８及び内部流路５８が一つの連続した流動経路を形成することとなり、これを通して洗浄液が供給されるか、または流体が排出され得る。
【００８０】
例えば、駆動部１００が強い正圧を提供する場合であれば、前記チューブ流路Ｔ１’と連結流路４８及び内部流路５８を順次に経た洗浄液が前記ノズル６５を通して外部、即ち、使用者の口腔内側に排出され、使用者の歯洗浄がなされる。
【００８１】
そして、逆に駆動部１００が強い負圧を提供する場合は、前記内部流路５８、連結流路４８及びチューブ流路Ｔ１’を順次に経た液体が外部に排出され得る。
【００８２】
より具体的には、駆動部１００から高圧の洗浄液が供給されると、前記洗浄液は、先ず、チューブＴ１を通して移動される。そして、洗浄液は、前記チューブＴ１に沿って前記メイン胴体１０の内部に流入し、メイン胴体１０の内部で前記チューブＴ１と結合されるチューブガイド４０のチューブ結合部４５を通してチューブガイド４０の連結流路４８に伝達される。
【００８３】
このとき、前記チューブガイド４０は、前記流路挿入部４７を通して洗浄胴体５０の内部流路５８と連結されるので、洗浄液は、前記連結流路４８を経て内部流路５８に伝達され、洗浄ヘッド６０方向に移動することとなる。
【００８４】
最後に、洗浄ヘッド６０のノズル６５を通して前記洗浄液が吐出され、使用者の口腔内部を洗浄することとなる。もちろん、前記洗浄ヘッド６０にブラシ７０が備えられた場合は、使用者が、洗浄液が排出されると同時にブラシ７０を利用して歯磨きをすることもできる。
【００８５】
逆に使用者の口腔内部に残存する流体は、上述の順序と逆順に排出され得る。即ち、駆動部１００から加えられる負圧がノズル６５に伝達されると、ノズル６５を通して流入した流体が内部流路５８と連結流路４８、そしてチューブＴ１を通して外部に排出されるのである。
【００８６】
以上において、本発明に係る実施例を構成する全ての構成要素が一つに結合するか、または結合して動作するものと説明されたとして、本発明が必ずしもこのような実施例に限定されるものではない。即ち、本発明の目的範囲内であれば、その全ての構成要素が一つ以上に選択的に結合して動作することもできる。また、以上において記載された「含む」、「構成する」または「有する」等の用語は、特に反対となる記載がない限り、該当構成要素が内在し得ることを意味するものであるので、他の構成要素を除くのではなく、他の構成要素をさらに含むことができるものと解釈されるべきである。技術的または科学的な用語を含む全ての用語は、異に定義されない限り、本発明の属する技術の分野における通常の知識を有する者により一般的に理解されるものと同一の意味がある。辞書に定義された用語のように一般的に用いられる用語は、関連技術の文脈上の意味と一致するものと解釈されるべきであり、本発明において明らかに定義しない限り、理想的であるか、または過度に形式的な意味に解釈されない。
【００８７】
以上の説明は、本発明の技術思想を例示的に説明したものに過ぎないものであって、本発明の属する技術の分野における通常の知識を有する者であれば、本発明の本質的な特性から外れない範囲で様々な修正及び変形が可能であるだろう。従って、本発明に開示された実施例は、本発明の技術思想を限定するためのものではなく、説明するためのものであり、このような実施例によって本発明の技術思想の範囲が限定されるものではない。本発明の保護範囲は、下記の請求の範囲によって解釈されるべきであり、それと同等な範囲内にある全ての技術思想は、本発明の権利範囲に含まれるものと解釈されるべきである。
【００８８】
例えば、先の実施例において、チューブガイド４０が省略され、前記フランジ３０の内側３２に前記メイン胴体１０の内部に備えられたチューブＴ１の一端が位置され、前記洗浄胴体５０が前記フランジ３０に結合されると、前記洗浄胴体５０の内部流路５８の一端と前記チューブＴ１の一端が互いに直接連結されることもあり得る。
【図１】
0006501166.tif 000002
【図２】
0006501166.tif 000003
【図３】
0006501166.tif 000004
【図４】
0006501166.tif 000005
【図５】
0006501166.tif 000006
【図６】
0006501166.tif 000007
【図７】
0006501166.tif 000008
【図８】
0006501166.tif 000009
【図９】
0006501166.tif 000010